(57)【要約】【課題】複数の種別の画像データが表す画像を記憶性画像表示媒体の表示面に表示するときの処理負荷を従来のものより低減することができる情報表示装置を提供すること。【解決手段】電源が切断されても画像の表示を継続できる記憶性画像表示媒体１０を有する画像表示部２と、画像表示部２の表示を制御する少なくとも１つのコントローラ部３とを備え、画像表示部２は、コントローラ部３から順次供給される画像データに基づいた画像を記憶性画像表示媒体１０の表示面に順次表示していくことにより、表示面に１ページ分の画像を形成していく。【選択図】図１
2010186021.tif 000002
【特許請求の範囲】
【請求項１】
電源が切断されても画像の表示を継続できる記憶性画像表示媒体を有する画像表示部と、
前記画像表示部の表示を制御する少なくとも１つのコントローラ部とを備え、
前記画像表示部は、前記コントローラ部から順次供給される画像データに基づいた画像を前記記憶性画像表示媒体の表示面に順次表示していくことにより、前記表示面に１ページ分の画像を形成していく情報表示装置。
【請求項２】
前記コントローラ部は、前記画像データが表す画像を表示させる領域を表す領域情報を該画像データと共に前記画像表示部に送信し、
前記画像表示部は、前記コントローラ部から送信された画像データに基づいた画像を前記領域情報が表す領域に表示することを特徴とする請求項１に記載の情報表示装置。
【請求項３】
前記画像表示部は、前記コントローラ部から供給された画像データが表す画像に透過領域が含まれている場合には、該透過領域を透過させて該画像を表示済みの画像に重畳させて表示することを特徴とする請求項１に記載の情報表示装置。
【請求項４】
前記画像表示部は、前記コントローラ部から供給された画像データが表す画像に塗りつぶし領域が含まれている場合には、表示済みの画像の上から該塗りつぶし領域を塗りつぶすことを特徴とする請求項１に記載の情報表示装置。
【請求項５】
電源が切断されても画像の表示を継続できる記憶性画像表示媒体を有する画像表示部と、前記画像表示部の表示を制御する少なくとも１つのコントローラ部とを備えた情報表示装置を用いて、
前記コントローラ部が、画像データを前記画像表示部に順次供給する画像データ供給ステップと、
前記画像表示部が、前記コントローラ部から順次供給された画像データに基づいた画像を前記記憶性画像表示媒体の表示面に順次表示していくことにより、前記表示面に１ページ分の画像を形成していく画像形成ステップとを有する情報表示方法。
【発明の詳細な説明】
【技術分野】
【０００１】
本発明は、情報表示装置に関し、特に、電子ペーパ等の記憶性画像表示媒体に情報を表示する情報表示装置に関する。
【背景技術】
【０００２】
従来の情報表示装置としては、ベースページ（本の内容が記載されたページ）の画像と、ベースページに付加する表示情報が表す画像とを合成し、ベースページに付加する表示情報として、画面上に書き込まれた手書き情報と、画面上に表示された文字をマスクする虫食い情報とを切り替えることができるものがある（例えば、特許文献１参照）。
【０００３】
また、電子ペーパ、タッチパネルおよびスキャナ部を備えた情報表示装置において、スキャナ部によって読み込んだ原稿データを電子ペーパ上に表示させると共に、この原稿データが表す画像の一部をマスクするためのマスク画像をタッチパネルを介して作成させ、このマスク画像を表示するか否かを切り替えることができるものがある（例えば、特許文献２参照）。
【発明の概要】
【発明が解決しようとする課題】
【０００４】
しかしながら、上述したような従来の技術においては、ベースページ（原稿データ）の画像と、ベースページに付加する表示情報が表す画像（マスク画像）との双方の画像データをメモリに保持し、画像合成してから描画する必要があるため、処理負荷がかかるといった課題があった。
【０００５】
本発明は、このような従来の課題を解決するためになされたもので、複数の種別の画像データが表す画像を記憶性画像表示媒体の表示面に表示するときの処理負荷を従来のものより低減することができる情報表示装置を提供することを目的とする。
【課題を解決するための手段】
【０００６】
本発明の情報表示装置は、電源が切断されても画像の表示を継続できる記憶性画像表示媒体を有する画像表示部と、前記画像表示部の表示を制御する少なくとも１つのコントローラ部とを備え、前記画像表示部は、前記コントローラ部から順次供給される画像データに基づいた画像を前記記憶性画像表示媒体の表示面に順次表示していくことにより、前記表示面に１ページ分の画像を形成していくように構成されている。
【０００７】
この構成により、本発明の情報表示装置は、コントローラ部から順次供給される画像データに基づいた画像を記憶性画像表示媒体の表示面に順次表示していくため、画像合成を行う必要がなくなり、複数の種別の画像データが表す画像を記憶性画像表示媒体の表示面に表示するときの処理負荷を従来のものより低減することができる。
【０００８】
なお、前記コントローラ部は、前記画像データが表す画像を表示させる領域を表す領域情報を該画像データと共に前記画像表示部に送信し、前記画像表示部は、前記コントローラ部から送信された画像データに基づいた画像を前記領域情報が表す領域に表示するようにしてもよい。
【０００９】
この構成により、本発明の情報表示装置は、使用者等によって設定された領域に、コントローラ部から供給される画像データに基づいた画像を表示することができる。
【００１０】
また、前記画像表示部は、前記コントローラ部から供給された画像データが表す画像に透過領域が含まれている場合には、該透過領域を透過させて該画像を表示済みの画像に重畳させて表示するようにしてもよい。
【００１１】
この構成により、本発明の情報表示装置は、記憶性画像表示媒体の表示面に予め表示されている画像に対し、コントローラ部から供給される画像データに基づいた画像を重ね描きすることができる。
【００１２】
また、前記画像表示部は、前記コントローラ部から供給された画像データが表す画像に塗りつぶし領域が含まれている場合には、表示済みの画像の上から該塗りつぶし領域を塗りつぶすようにしてもよい。
【００１３】
この構成により、本発明の情報表示装置は、記憶性画像表示媒体の表示面に予め表示されている画像の特定領域を単一色等で隠すことができる。
【００１４】
また、本発明の情報表示方法は、電源が切断されても画像の表示を継続できる記憶性画像表示媒体を有する画像表示部と、前記画像表示部の表示を制御する少なくとも１つのコントローラ部とを備えた情報表示装置を用いて、前記コントローラ部が、画像データを前記画像表示部に順次供給する画像データ供給ステップと、前記画像表示部が、前記コントローラ部から順次供給された画像データに基づいた画像を前記記憶性画像表示媒体の表示面に順次表示していくことにより、前記表示面に１ページ分の画像を形成していく画像形成ステップとを有する。
【００１５】
したがって、本発明の情報表示方法は、コントローラ部から順次供給される画像データに基づいた画像を記憶性画像表示媒体の表示面に順次表示していくため、画像合成を行う必要がなくなり、複数の種別の画像データが表す画像を記憶性画像表示媒体の表示面に表示するときの処理負荷を従来のものより低減することができる。
【発明の効果】
【００１６】
本発明は、複数の種別の画像データが表す画像を記憶性画像表示媒体の表示面に表示するときの処理負荷を従来のものより低減することができる情報表示装置を提供することができる。
【図面の簡単な説明】
【００１７】
【図１】本発明の第１の実施の形態としての情報表示装置のブロック図である。
【図２】本発明の第１の実施の形態としての情報表示装置の動作を説明するためのフローチャートである。
【図３】本発明の第１の実施の形態に係るコントローラ部のメモリに格納された画像データが表す画像の第１の例である。
【図４】本発明の第１の実施の形態に係るコントローラ部のメモリに格納された画像データが表す画像の第２の例である。
【図５】本発明の第１の実施の形態に係る画像表示部の記憶性画像表示媒体の表示面に表示される画像の第１の例である。
【図６】本発明の第１の実施の形態に係るコントローラ部のメモリに格納された画像データが表す画像の第３の例である。
【図７】本発明の第１の実施の形態に係るコントローラ部のメモリに格納された画像データが表す画像の第４の例である。
【図８】本発明の第１の実施の形態に係る画像表示部の記憶性画像表示媒体の表示面に表示される画像の第２の例である。
【図９】本発明の第１の実施の形態に係るコントローラ部のメモリに格納された画像データが表す画像の第５の例である。
【図１０】本発明の第１の実施の形態に係るコントローラ部のメモリに格納された画像データが表す画像の第６の例である。
【図１１】本発明の第１の実施の形態に係る画像表示部の記憶性画像表示媒体の表示面に表示される画像の第３の例である。
【図１２】本発明の第２の実施の形態としての情報表示装置の動作を説明するためのフローチャートである。
【図１３】本発明の第３の実施の形態としての情報表示装置のブロック図である。
【発明を実施するための形態】
【００１８】
以下、図面を参照して本発明の実施の形態について説明する。
【００１９】
（第１の実施の形態）
図１において、本発明の第１の実施の形態としての情報表示装置１は、画像を表示する画像表示部２と、画像表示部２の制御を行う少なくとも１つのコントローラ部３とを備えている。なお、図１において、１つのコントローラ部３が示されているが、本発明の情報表示装置を構成するコントローラ部の数を限定するものではない。
【００２０】
画像表示部２は、電源が切断されても画像の表示を継続できる記憶性画像表示媒体１０と、記憶性画像表示媒体１０の表示制御を行うための表示制御回路１１と、コントローラ部３との通信を行うためのＩ／Ｆ（interface）回路１２とを有している。
【００２１】
記憶性画像表示媒体１０は、例えば、コレステリック液晶方式、電気泳動方式または電子粉流体方式等を採用した電子ペーパによって構成されている。表示制御回路１１は、画像データと、当該画像データが表す画像を表示させる領域を表す領域情報をコントローラ部３からＩ／Ｆ回路１２を介して受信し、受信した画像データに基づいた画像を記憶性画像表示媒体１０の表示面における領域情報が表す領域に表示させるようになっている。Ｉ／Ｆ回路１２は、給電端子を有するものが好ましく、本実施の形態においては、ＵＳＢ（Universal Serial Bus）ソケットを有するものとする。
【００２２】
コントローラ部３は、ＣＰＵ（Central Processing Unit）２１と、ＲＡＭ（Random Access Memory）２２と、不揮発性のメモリ２３と、操作部２４と、表示部２５と、画像表示部２との通信を行うためのＩ／Ｆ回路２６と、バッテリ２７と、電源制御部２８と、外部入力Ｉ／Ｆ部２９とを有している。
【００２３】
メモリ２３は、例えば、フラッシュメモリによって構成されており、メモリ２３には、コントローラ部３を本発明に係るコントローラ部として機能させるためのプログラムに加え、画像データと、領域情報とが対応されて予め格納されている。ＣＰＵ２１は、ＲＡＭ２２を作業領域として、メモリ２３に格納されたプログラムを実行するようになっている。
【００２４】
操作部２４は、押しボタン、タッチパネル、タッチパッド、ジョグダイヤルおよびジョグスティック等のような入力デバイスを有し、例えば、メモリ２３に格納された画像データの選択等が行われる。表示部２５は、例えば、液晶ディスプレイを有し、操作部２４による操作を補助するための情報を表示するようになっている。
【００２５】
Ｉ／Ｆ回路２６は、給電端子を有するものが好ましく、本実施の形態においては、ＵＳＢコネクタを有するものとする。電源制御部２８は、バッテリ２７からコントローラ部３の各部に供給される電力を制御すると共に、Ｉ／Ｆ回路２６のＵＳＢコネクタが画像表示部２のＩ／Ｆ回路１２のＵＳＢソケットに差し込まれたときに、バッテリ２７から画像表示部２に供給される電力を制御するようになっている。
【００２６】
外部入力Ｉ／Ｆ部２９は、メモリ２３に格納されているプログラム、画像データおよび領域情報を更新するために用いられ、例えば、更新用のプログラム、画像データおよび領域情報をメモリカードから読み込むためのメモリカードリーダによって構成してもよく、更新用のプログラム、画像データおよび領域情報を外部のコンピュータ装置から読み込むためのソケットによって構成してもよい。
【００２７】
以上のように構成された情報表示装置１について、図２を参照してその動作を説明する。なお、以下に説明する動作が実行される前に、ユーザによって、コントローラ部３の操作部２４を介してメモリ２３に格納された画像データから１つの画像を表す画像データが選択されているものとする。
【００２８】
まず、コントローラ部３のＩ／Ｆ回路２６のＵＳＢコネクタが画像表示部２のＩ／Ｆ回路１２のＵＳＢソケットに差し込まれる、すなわち、コントローラ部３と画像表示部２とが接続されると（ステップＳ１）、操作部２４を介して選択された画像データと、この画像データに対応してメモリ２３に格納されている領域情報がＩ／Ｆ回路２６を介して画像表示部２に供給される（ステップＳ２）。
【００２９】
コントローラ部３から供給された画像データと領域情報とがＩ／Ｆ回路１２を介して画像表示部２の表示制御回路１１に受信されると、受信された画像データに基づいた画像が記憶性画像表示媒体１０の表示面における領域情報が表す領域に表示される（ステップＳ３）。
【００３０】
ここで、コントローラ部３のＩ／Ｆ回路２６のＵＳＢコネクタが画像表示部２のＩ／Ｆ回路１２のＵＳＢソケットから取り外される、すなわち、コントローラ部３と画像表示部２とが切断されると（ステップＳ４）、情報表示装置１の動作は、ステップＳ１に戻る。
【００３１】
さらに、別の種別の画像を表す画像データが格納された別のコントローラ部３が画像表示部２に接続されると、この別のコントローラ部３で選択されている画像データが表す画像が、記憶性画像表示媒体１０の表示面に既に表示されている画像上に、重畳されて表示される。
【００３２】
ここで、コントローラ部３から供給された画像データが表す画像に透過領域が含まれている場合には、この透過領域を透過させた画像が、表示済みの画像に重畳して表示される。
【００３３】
逆に、コントローラ部３から供給された画像データが表す画像に非透過領域、すなわち、塗りつぶし領域が含まれている場合には、この塗りつぶし領域で表示済みの画像が塗りつぶされる。
【００３４】
このように、各コントローラ部３が選択された画像データを画像表示部２に順次供給することにより、複数の種別の画像データが表す画像が記憶性画像表示媒体１０の表示面に順次表示され、記憶性画像表示媒体１０の表示面に１ページ分の画像が形成される。
【００３５】
例えば、まず、図３に示す透かし画像を表す画像データがメモリ２３に格納されたコントローラ部３を画像表示部２に接続し、次に、図４に示す機密画像を表す画像データがメモリ２３に格納されたコントローラ部３を画像表示部２に接続することにより、記憶性画像表示媒体１０の表示面には、図５に示す画像が表示される。なお、図４に示した画像において、文字が表示されていない領域が、透過領域にあたる。
【００３６】
このように情報表示装置１を用いることにより、記憶性画像表示媒体１０の表示面に表示された機密画像を撮影して利用することを防止したり、機密画像に対する取り扱いの注意を閲覧者に喚起したりすることができる。
【００３７】
また、他の例として、まず、図６に示す地図画像を表す画像データがメモリ２３に格納されたコントローラ部３を画像表示部２に接続し、次に、図７に示す案内画像を表す画像データがメモリ２３に格納されたコントローラ部３を画像表示部２に接続することにより、記憶性画像表示媒体１０の表示面には、図８に示す画像が表示される。
【００３８】
このように情報表示装置１を用いることにより、汎用性がある地図画像を表す画像データがメモリ２３に格納されたコントローラ部３と、特定の用途に用いる案内画像を表す画像データがメモリ２３に格納されたコントローラ部３とによって、地図画像を共用して様々な場所を案内することができる。
【００３９】
また、他の例として、まず、図９に示す英文画像を表す画像データがメモリ２３に格納されたコントローラ部３を画像表示部２に接続し、次に、図１０に示す和文画像を表す画像データがメモリ２３に格納されたコントローラ部３を画像表示部２に接続することにより、記憶性画像表示媒体１０の表示面には、図１１に示す画像が表示される。
【００４０】
このように情報表示装置１を用いることにより、語学を支援することができる。特に、画像表示部２に接続するコントローラ部３の順序により、英文を先に表示させて、和文を確認する学習と、和文を先に表示させて、英文を確認する学習とを支援することができる。
【００４１】
また、他の例として、図示を省略するが、１ページ分の画像を表す画像データがメモリ２３に格納されたコントローラ部３を画像表示部２に接続し、次に、単色の部分画像を表す画像データがメモリ２３に格納されたコントローラ部３を画像表示部２に接続することにより、１ページ分の画像の一部を隠すことができる。
【００４２】
このように情報表示装置１を用いることにより、虫食い領域を有する画像を記憶性画像表示媒体１０の表示面に表示させることができ、暗記学習等を支援することができる。また、１ページ分の画像の一部を隠蔽して記憶性画像表示媒体１０の表示面に表示させることができる。
【００４３】
以上説明したように、本発明の第１の実施の形態としての情報表示装置１は、コントローラ部３から順次供給される画像データに基づいた画像を記憶性画像表示媒体１０の表示面に順次表示していくため、画像合成を行う必要がなくなり、複数の種別の画像データが表す画像を記憶性画像表示媒体１０の表示面に表示するときの処理負荷を従来のものより低減することができる。
【００４４】
なお、本実施の形態において、画像表示部２のＩ／Ｆ回路１２がＵＳＢソケットを有し、コントローラ部３のＩ／Ｆ回路２６がＵＳＢコネクタを有するものとして説明したが、画像表示部２とコントローラ部３との間の通信規格を限定するものではない。
【００４５】
例えば、画像表示部２とコントローラ部３とは、ＲＦＩＤ（Radio Frequency Identification）技術に準拠して通信するようにしてもよい。
【００４６】
（第２の実施の形態）
本発明の第１の実施の形態においては、各コントローラ部３のメモリ２３に１種別の画像データを格納し、画像表示部２に接続するコントローラ部３を順次交換していく例について説明したが、本実施の形態においては、コントローラ部３のメモリ２３に、複数の種別の画像データを格納しておく。
【００４７】
このように構成された情報表示装置１の動作について、図１２を参照して説明する。なお、以下に説明する動作が実行される前に、ユーザによって、コントローラ部３の操作部２４を介して画像データの種別と、メモリ２３に格納された画像データから１つの画像を表す画像データが各種別に対して選択されているものとする。
【００４８】
図１２に示すように、まず、コントローラ部３と画像表示部２とが接続されると（ステップＳ１１）、操作部２４を介して選択された最初の種別の画像データと、この画像データに対応してメモリ２３に格納されている領域情報がＩ／Ｆ回路２６を介して画像表示部２に供給される（ステップＳ１２）。
【００４９】
コントローラ部３から供給された画像データと領域情報とがＩ／Ｆ回路１２を介して画像表示部２の表示制御回路１１に受信されると、受信された画像データに基づいた画像が記憶性画像表示媒体１０の表示面における領域情報が表す領域に表示される（ステップＳ１３）。
【００５０】
次に、コントローラ部３のＣＰＵ２１によって、次の種別の画像データが操作部２４を介して選択されているか否かが判断され（ステップＳ１４）、次の種別の画像データが選択されていると判断された場合には、情報表示装置１の動作は、ステップＳ１２に戻り、次の種別の画像データに対して、ステップＳ１２およびステップＳ１３が実行される。
【００５１】
一方、次の種別の画像データが選択されていないと判断された場合には、情報表示装置１の動作は、コントローラ部３と画像表示部２とが切断されるのを待つ（ステップＳ１５）。ここで、コントローラ部３と画像表示部２とが切断されると、情報表示装置１の動作は、ステップＳ１１に戻る。
【００５２】
このように、各コントローラ部３が、選択された複数の種別の画像データを画像表示部２に順次送信することにより、複数の種別の画像データが表す画像が記憶性画像表示媒体１０の表示面に順次表示され、記憶性画像表示媒体１０の表示面に１ページ分の画像が形成される。
【００５３】
以上説明したように、本発明の第２の実施の形態は、各コントローラ部３から順次供給される画像データに基づいた複数の画像を記憶性画像表示媒体１０の表示面に順次表示していくため、画像合成を行う必要がなくなり、複数の種別の画像データが表す画像を記憶性画像表示媒体１０の表示面に表示するときの処理負荷を従来のものより低減することができる。
【００５４】
（第３の実施の形態）
図１３において、本発明の第３の実施の形態としての情報表示装置３０は、画像を表示する画像表示部２と、画像表示部２の制御を行う少なくとも１つのコントローラ部３１とを備えている。
【００５５】
コントローラ部３１は、本発明の第１の実施の形態のコントローラ部３に対して、メモリカードリーダ等によって構成された記憶媒体読取装置３２が設けられ、メモリ２３には、画像データと、領域情報とが格納されていない点が相違する。
【００５６】
記憶媒体読取装置３２に差し込まれる記憶媒体３３は、メモリカード等によって構成され、記憶媒体３３には、画像データと、領域情報とが対応されて予め格納されている。ここで、ユーザによって、記憶媒体読取装置３２に記憶媒体３３が差し込まれると、記憶媒体３３に格納された画像データが記憶媒体読取装置３２に読み込まれ、図２または図１２に示したように、本発明の第１または第２の実施の形態としての情報表示装置１と同様に動作する。
【００５７】
これにより、記憶媒体読取装置３２に複数の記憶媒体３３を順次差し替えることにより、本発明の第１または第２の実施の形態としての情報表示装置１と同様に、複数の種別の画像データが表す画像が記憶性画像表示媒体１０の表示面に順次表示され、記憶性画像表示媒体１０の表示面に１ページ分の画像が形成される。
【００５８】
なお、本実施の形態において、最初のメモリカードが差し込まれてから、最後のメモリカードに格納された画像データが表す画像が記憶性画像表示媒体１０の表示面に表示されるまでは、コントローラ部３１を画像表示部２に接続したままの状態にしておく。
【００５９】
以上説明したように、本発明の第３の実施の形態としての情報表示装置３０は、記憶媒体３３からコントローラ部３１によって順次読み込まれた画像データに基づいた画像を記憶性画像表示媒体１０の表示面に順次表示していくため、画像合成を行う必要がなくなり、複数の種別の画像データが表す画像を記憶性画像表示媒体１０の表示面に表示するときの処理負荷を従来のものより低減することができる。
【符号の説明】
【００６０】
１、３０  情報表示装置
２  画像表示部
３、３１  コントローラ部
１０  記憶性画像表示媒体
１１  表示制御回路
１２、２６  Ｉ／Ｆ回路
２１  ＣＰＵ
２２  ＲＡＭ
２３  メモリ
２４  操作部
２５  表示部
２７  バッテリ
２８  電源制御部
２９  外部入力Ｉ／Ｆ部
３２  記憶媒体読取装置
３３  記憶媒体
【先行技術文献】
【特許文献】
【００６１】
【特許文献１】特開２００６−５８９１７号公報
【特許文献２】特開２００７−３４０４７号公報
【図１】
2010186021.tif 000003
【図２】
2010186021.tif 000004
【図３】
2010186021.tif 000005
【図４】
2010186021.tif 000006
【図５】
2010186021.tif 000007
【図７】
2010186021.tif 000008
【図９】
2010186021.tif 000009
【図１０】
2010186021.tif 000010
【図１１】
2010186021.tif 000011
【図１２】
2010186021.tif 000012
【図１３】
2010186021.tif 000013
【図６】
2010186021.tif 000014
【図８】
2010186021.tif 000015